(57)【要約】      （修正有）【課題】局部発振回路が複数個増設されて、同時に同一チャンネルを選局したときに起こる相互干渉を低減し、なお装置内で使用しているクロックの干渉を低減し、良好な受信環境を提供する。【解決手段】複数のチューナーが装着可能な放送信号受信装置において、複数個のチューナーが装着されて同一チャンネルを同時に受信した場合、複数個の局部発振回路１０が相互干渉を起こし受信劣化を起こさないように、発振周波数を制御する中間周波数変換回路９に設定する設定値を最適に振り分ける。振り分ける方法として、各デバイスに割り当てているＩＩＣバスアドレスを認識することで、チューナーの個数を検出することが出来る。また、ＭＰＥＧ処理手段８には、このチューナーボードのシステムＩＤを示すＩＤが設定されている。ＭＰＥＧ処理手段８に設定されているシステムＩＤを認識する。このように局部発振回路の数を検出することで周波数設定値の割り振りを行う。【選択図】図１
2010016786.tif 000002
【特許請求の範囲】
【請求項１】
基本周波数を発振する発振回路と、前記発振回路から基本周波数を逓倍分周して発振周波数が可変された局部発振信号を生成する局部発信回路と、前記局部発信回路で生成された局部発振信号と放送されているデジタル放送信号のうち所望とするチャンネルを選局して受信したデジタル放送チャンネルの信号を所定の周波数帯域に周波数変換する周波数変換器と、前記所定の周波数帯域に変換されたデジタル放送信号をベースバンドの信号に復調する復調回路を有するスーパーヘテロダイン方式の中間周波数変換回路が少なくても２個以上装着できる放送信号受信装置において、
前記中間周波数変換回路が複数個装着されていることを検出する検出手段と、前記周波数制御手段の周波数の設定値を複数種類保持する記憶回路と、前記記憶回路の設定値でそれぞれ前記周波数制御手段の周波数が異なる周波数で設定するように制御する周波数制御回路を具備することを特徴とするダブルチューナー。
【請求項２】
請求項１において、
前記復調回路で使用するクロックの高調波が、前記局部発振信号の周波数と離れるように局部発振信号の周波数を設定する設定値が記憶されていることを特徴とするダブルチューナー。
【請求項３】
請求項２において、
前記複数個の周波数制御手段の設定値が、複数種類記憶されていることを特徴とするダブルチューナー。
【請求項４】
請求項２，３において、
前記復調回路で使用するクロックの高調波が、前記局部発振信号の周波数と離れるように局部発振信号の周波数を設定する設定値と、前記複数個の周波数制御手段の設定値が共用できる設定値であることを特徴とするダブルチューナー。
【発明の詳細な説明】
【技術分野】
【０００１】  本発明は、テレビジョン放送受信装置、及び放送信号受信方法に関する。
【背景技術】
【０００２】  テレビジョン放送を録画するＶＴＲやＤＶＤレコーダーが、市場を賑している。ユーザーからは、視聴しながら裏番組を録画したい。と言う要望があり、２個のチューナーを搭載したレコーダーが登場した。そのため、狭い空間の中に複数個の中間周波数変換回路を用意し、放送チャンネルの受信を可能にする必要があった。【０００３】  ユーザーの立場から録画されているコンテンツ内容の確認も重要であり、録画で使用している以外のチューナーで確認する場合もある。この場合、少なくとも２個以上の中間周波数変換回路が同時に同じチャンネルを選局している事になり、入力信号と検波用の局部発信器の発振周波数との間で相互干渉が起こり、受信データのエラーレートが劣化する問題が発生した。【０００４】  この受信不良を対策するため、一方の局部発信器で生成される局部発振信号の周波数に対して、他方の局部発信器で生成される局部発振信号の周波数を１００ｋＨｚ以上変位させる方法が考案された（特許文献１参照）。【０００５】  ところが、従来例では、予め２個以上装着することを前提としており、ＰＣ（Ｐｅｒｓｏｎａｌ  Ｃｏｍｐｕｔｅｒ）などスロットにチューナーボードを増設できる装置に対して考慮されていない。ＰＣにおいては、シングルチューナーでも２枚差しにすれば、２個の中間周波数変換回路が存在し、受信データのエラーレートが劣化する問題が解決されない欠点があった。【０００６】  また、デジタル放送波を受信して復調し出力する信号に、データとクロックなどがある。このクロック周波数の高調波が、局部発振信号の周波数と重なり合う関係になる場合があり、周波数が重なると受信データのエラーレートが劣化する問題が発生する。【０００７】
【特許文献１】特開２００６−１７３９２２
【発明の開示】
【発明が解決しようとする課題】
【０００８】  以下では、一つの筐体に２つの中間周波数変換回路が存在する従来の放送信号受信装置の一例について説明する。図２は、デジタル放送信号受信装置１００の基本的な構成を示す。【０００９】  従来のデジタル放送受信装置１００は、デジタル放送信号を入力するＲＦ入力端子１０１で、入力した微弱なデジタル放送信号をＬＮＡ（Ｌｏｗ  Ｎｏｉｓｅ  Ａｍｐｌｉｆｉｅｒ）１０２で増幅する。ＲＦ  ＡＧＣ１０３（Ｒａｄｉｏ  Ｆｒｅｑｕｅｎｃｙ  Ａｕｔｏｍａｔｉｃ  Ｇａｉｎ  Ｃｏｎｔｒｏｌｌｅｒ）で適正レベルまで増幅し、周波数変換回路１０４で選局したチャンネルの信号帯域を所定の周波数帯域に周波数変換する。ＢＰＦ（Ｂａｎｄ  Ｐａｓｓ  Ｆｉｌｔｅｒ）１０５で、選局したチャンネルの帯域だけ抽出して、ＩＦ  ＡＧＣ１０６（Ｉｎｔｅｒｍｅｄｉｃａｔｅ  Ｆｒｅｑｕｅｎｃｙ  ＡＧＣ）で伝送経路により減衰した信号を適正なレベルまで増幅をする。このようにして選局されたチャンネルのデジタル信号は、復調回路１０７に入力されベースバンド信号に復調される。復調回路１０７は、ＴＳ（Ｔｒａｎｓｐｏｒｔ  Ｓｔｒｅａｍ）を出力し後段のＭＰＥＧ処理手段１０８に放送信号を送る。また、復調回路１０７は、入力されたデジタル信号の振幅レベルを検出してＲＦ  ＡＧＣ１０３とＩＦ  ＡＧＣ１０６のゲインを設定する。【００１０】  中間周波数変換回路１０９内部の周波数変換回路１０４に局部発振回路１１０で生成された局部発振信号を入力して選局信号を所定の周波数帯域に変換する。周波数制御手段１１１では、中間周波数変換回路１０９で変換する周波数を設定するＰＬＬ回路１１２を制御することで変換する周波数を設定する。【００１１】  ＭＰＥＧ処理手段１０８では、マザーボード１１３内の設定値が記憶されている記憶装置１１４の情報をＣＰＵ１１５が読み出し、汎用バスを通じてＭＰＥＧ処理手段１０８が受け復調回路１０７を経て、ＩＩＣバス通信により周波数制御手段を制御することで周波数の設定を行う。【００１３】  上記従来のデジタル放送受信装置１００の受信性能を劣化させる要因の一つとして、近接して配置された２個の局部発振回路の発振周波数が同一のとき干渉し合うことがある。この場合、位相ノイズが増加してＣ／Ｎが著しく劣化させる周波数がピンポイトに発生することがある。仮に周波数差が全くなければ、相互の局部発振信号は、位相誤差として影響する形で等価Ｃ／Ｎを劣化させる程度であるが、このようなエネルギー集中によるＣ／Ｎ劣化は間欠的な復調動作の不具合をもたらす。ここで、図２デジタル放送信号受信装置１００において、ＰＣのスロットにデジタル放送信号受信ボードＡ１１６が装着されていて、その隣のスロットにデジタル放送信号受信ボードＢ１１７が、近接して装着されている状態である。【００１４】  また、図２の復調回路１０７が出力するＴＳ（Ｔｒａｎｓｐｏｒｔ  Ｓｔｒｅａｍ）信号にクロック信号が含まれる。このクロック信号周波数の高調波が、特定の選局したチャンネルに対応する局部発振周波数と重なる場合があり、上記のような受信不良をもたらす。【００１５】  この位相ノイズを抑えるため図２の局部発振回路１１０の発振周波数を２個の中間周波数変換回路間で同じに��らないように設定する方法があるが、中間周波数回路を２個実装している装置については、予め周波数が重ならないような設定が行われることが可能である。しかし、ＰＣのスロットやＵＳＢなどに装着するチューナーボードが増設可能な装置については、局部発振回路１１０の発振周波数を変えることが出来ず上記のような受信劣化が発生する。特にＵＳＢケーブでＰＣに接続された外付けチューナーを重ねてダブルチューナーとして使用する場合は、使用環境により受信性能が安定しない可能性がある。【００１６】  そこで本発明は、上記従来の実情に鑑みて提案されたものであり、局部発振回路が増設されて、同時に同一周波数を選択したときに起こる相互干渉を低減することが出来る放送信号受信装置、及び放送信号受信方法を提供することを目的とする。
【課題を解決するための手段】
【００１７】  本考案は、基本周波数を発振する発振回路と、前記発振回路から基本周波数を逓倍分周して発振周波数が可変された局部発振信号を生成する局部発信回路と、前記局部発信回路で生成された局部発振信号と放送されているデジタル放送信号のうち所望とするチャンネルを選局して受信したデジタル放送チャンネルの信号を所定の周波数帯域に周波数変換する周波数変換器と、前記所定の周波数帯域に変換されたデジタル放送信号をベースバンドの信号に復調する復調回路を有するスーパーヘテロダイン方式の中間周波数変換回路が少なくても２個以上装着できる放送受信装置において、前記中間周波数変換回路が複数個装着されていることを検出する検出回路と、前記周波数制御手段の周波数をそれぞれ違った値に設定するための設定値を複数個保持する記憶回路と、前記記憶回路の設定値でそれぞれ前記周波数制御手段の周波数が異なった周波数で設定するように制御する周波数制御回路を具備することで、上記の目的を達成する。【００１８】  ここで、チューナーボードの検出手段は、ＰＣで使用しているシステムＩＤを認識することで行う。システムＩＤが複数個存在していれば、設定値が重複しないように割り当てる。また、装着しているチューナーボードにチューナーが複数個実装してある場合は、ＩＩＣバスのアドレスを認識して区別し周波数設定値を割り当てる。【００１９】  また、同時に同一周波数を選択したときに起こる相互干渉を低減させるため局部発振周波数をシフトする方法とＴＳクロック信号周波数の高調波が、特定の選局したチャンネルに対応する局部発振周波数をシフトする方法を同じにすることで、対策を簡素化することが可能となる。
【発明の効果】
【００２０】  本考案によれば、チューナーボードを増設して、同時に同一周波数を選択したときに起こる相互干渉を低減さると共に、お互い、または自らのＴＳクロック信号の干渉も低減させ、良好な受信特性が得られる効果がある。
【発明を実施するための最良の形態】
【００２１】  本考案の具体例として示す放送信号受信装置は、放送局から送信される放送信号を受信する受信装置である。その受信部は、ＰＣの内部、または外部と接続される。
受信された放送番組は、ＰＣに装着されているハードディスクに記録、または、モニターに出力され視聴される。チューナーが１個しか設けられていない場合、記録していると裏番組を視聴することが出来ない不具合がある。この問題を回避するために、複数のチューナーが設けられた。【００２２】  以下、本発明の放送信号受信装置の具体例について図面を参照して詳細に説明する。
図１は、一つのＰＣに２つのチューナーボードを装着した放送信号受信装置１９の基本的な構成を示す。本具体例において放送信号は、地上デジタル放送である。【００２３】  デジタル放送受信ボードＡ１７は、デジタル放送信号を入力するＲＦ入力端子１で、入力した微弱なデジタル放送信号をＬＮＡ２で増幅する。ＲＦ  ＡＧＣ３で適正レベルまで増幅し、周波数変換回路４で選局したチャンネルの信号帯域を所定の周波数帯域に周波数変換する。ＢＰＦ５で、選局したチャンネルの帯域だけ抽出して、ＩＦ  ＡＧＣ６で伝送経路により減衰した信号を適正なレベルになるまで増幅をする。このようにして選局されたチャンネルのデジタル信号は、復調回路７に入力されベースバンド信号に復調される。復調回路７は、ＴＳを出力し後段のＭＰＥＧ処理手段８に受信した放送信号を送る。また復調回路７に入力されたデジタル放送信号の振幅レベルを検出してＲＦ  ＡＧＣ３とＩＦ  ＡＧＣ６のゲインを設定する。【００２４】  ＭＰＥＧ処理手段８では、マザーボード１３内の設定値が記憶されている記憶装置１４、または記憶装置１５のいずれかの情報をＣＰＵ１６が読み出し、ＰＣＩバスを通じてＭＰＥＧ処理手段８が受け復調回路７を経て、ＩＩＣバス通信により周波数制御手段１１を制御することで周波数の設定を行う。【００２５】  また、中間周波数変換回路９内部の周波数変換回路４に局部発振回路１０で生成された局部発振信号を入力して選局信号を所定の周波数帯域に変換する。周波数制御手段１１では、中間周波数変換回路９で変換する周波数を設定する設定値が記憶されている記憶回路１４、または記憶装置１５から読み出した情報を、ＰＬＬ回路１２を制御することで変換する周波数を設定する。【００２６】  局部発振回路１０の発振周波数を制御するＰＬＬ回路１２は、周波数制御手段１１に制御されていて、ＩＩＣバス通信で行われている。ＩＩＣバスは、主に各種デバイス間の通信をデータとクロックの２本で行うため、各デバイスにはアドレスが割り振られている。そのＩＩＣアドレスを認識することで、チューナーの個数を検出することが出来、周波数を設定する設定値を割り振ることが可能となる。【００２７】  また、ＭＰＥＧ処理手段８には、このチューナーボードのシステムＩＤを示すＩＤが設定されている。マザーボード１３内のＣＰＵ１６は、チューナーボード内のＭＰＥＧ処理手段８と通信を行い、ＭＰＥＧ処理手段８に設定されているシステムＩＤを認識する。ＣＰＵ１６は、認識したこのシステムＩＤによって、チューナーボードの数量を把握して、その情報をＭＰＥＧ処理手段８に伝送することで、周波数設定値の割り振りを行う。【００２８】  図１デジタル放送信号受信装置１９において、ＰＣのスロットにデジタル放送受信ボードＡ１７が装着されていて、その隣のスロットにデジタル放送信号受信ボードＢ１８が、装着されている状態である。この場合、マザーボード１３内のＣＰＵ１６が各スロットに装着されているボードのシステムＩＤを認識して、デジタル放送信号受信装置が、複数枚装着されていることを認識したら、自動的に設定値を割り当てるように制御する。【００２９】  本発明の具体例として示す放送信号受信装置１９は、背景技術で説明し��ように、２個のチューナーが同一チャンネルを選局した場合に局部発振回路で起こる相互干渉による受信劣化を回避させるため干渉を起こさない周波数領域に変移させる方法を用いている。したがって、チューナーの増設が可能であるＰＣに装着されているチューナーボードをシステムＩＤ、及びＩＩＣアドレスの認識により区別して、周波数設定を割り当てて対処する。【００３０】  また、復調回路７が出力するクロック周波数の高調波が、局部発振回路で起こる相互干渉による受信劣化を回避させるため干渉を起こさない周波数領域に変移させる。【００３１】  なお、同時に同一周波数を選択したときに起こる相互干渉を低減させるため局部発振周波数をシフトする方法とＴＳクロック信号周波数の高調波が、特定の選局したチャンネルに対応する局部発振周波数をシフトする方法を同じ方法で対処することで、対策を簡素化することが可能となる。
【図面の簡単な説明】
【００３２】
【図１】本発明のブロック図を示す。
【図２】従来のブロック図を示す。
【符号の説明】
【００３３】  １，１０１  ＲＦ入力端子、２，１０２  ＬＮＡ、３，１０３  ＲＦ  ＡＧＣ、４，１０４  周波数変換回路、５，１０５  ＢＰＦ、６，１０６  ＩＦ  ＡＧＣ、７，１０７  復調回路、８，１０８  ＭＰＥＧ処理手段、９，１０９  中間周波数変換回路、１０，１１０  局部発振回路、１１，１１１  周波数制御手段、１２，１１２  ＰＬＬ回路、１３，１１３  マザーボード、１４，１５，１１４  記憶装置、１６，１１５  ＣＰＵ、１７，１１６  デジタル放送信号受信ボードＡ、１８，１１７  デジタル放送信号受信ボードＢ、１００，１９  デジタル放送信号受信装置
【図１】
2010016786.tif 000003
【図２】
2010016786.tif 000004